(57)【要約】【課題】帯留めが帯の正面の中央付近に常に位置し、帯留めが重量でずり下がらないような帯留めの取付構造を提供する。【解決手段】二部式帯の帯部に設けられた取付穴部と、帯留めの飾り部の裏側に設けられた第一ねじと、該第一ねじに螺合する第二ねじとからなり、該第一ねじのねじ部と該第二ねじのねじ部は該取付穴部を貫通して螺合し、該第一ねじの基部と該第二ねじの基部は該取付穴部を挟んだ状態になっている。前記第一ねじが雌ねじで且つ前記第二ねじが雄ねじであってもよいし、前記第一ねじが雄ねじで且つ前記第二ねじが雌ねじであってもよい。また、二部式帯の帯部に設けられた取付穴部が鳩目で縁取り補強されていてもよい。また、前記帯留めが帯び紐を備えていてもよい。【選択図】図４
0003161130.tif 000002
【実用新案登録請求の範囲】
【請求項１】
二部式帯の帯部に設けられた取付穴部と、帯留めの飾り部の裏側に設けられた第一ねじと、該第一ねじに螺合する第二ねじとからなり、該第一ねじのねじ部と該第二ねじのねじ部は該取付穴部を貫通して螺合し、該第一ねじの基部と該第二ねじの基部は該取付穴部を挟んだ状態になっていることを特徴とする帯留め取付構造。
【請求項２】
前記第一ねじが雌ねじ且つ前記第二ねじが雄ねじである、又は、前記第一ねじが雄ねじ且つ前記第二ねじが雌ねじであることを特徴とする請求項１に記載の帯留め取付構造。
【請求項３】
二部式帯の帯部に設けられた取付穴部が鳩目で縁取り補強されていることを特徴とする請求項１又は２に記載の帯留め取付構造。
【請求項４】
前記帯留めが帯び紐を備えていることを特徴とする請求項１〜３のいずれかに記載の帯留め取付構造。
【考案の詳細な説明】
【技術分野】
【０００１】
本考案は、きものの帯に取り付けた帯留めが装着中にその取り付けた位置からずれない帯留めの取付構造に関するものである。
【背景技術】
【０００２】
きものの帯は、一般に１本の長い布からなり、一部を２つ折りにして身体の胴のまわりに何重かに巻き付け、身体の後ろで強く結び、余りの部分でお太鼓などの飾り部を作り、この飾り部を身体の胴の後ろ側に帯締め及び帯揚げで固定するという手順によって締められている。そして、締められた帯の前部に帯留めが装飾として帯紐等によって取り付けられている。
【先行技術文献】
【特許文献】
【０００３】
【特許文献１】特開２００６−３３４３４７号公報
【特許文献２】特開２０００−１１００１９号公報
【特許文献３】実用新案登録第３０５１０７４号公報
【特許文献４】実開平７−３３９３６号公報
【考案の概要】
【考案が解決しようとする課題】
【０００４】
ところで、帯留めは帯の正面の中央付近に来るようにするのが、見栄えの点で好ましいが、帯留めは帯紐で両側から支えられているだけなので、帯に付けているうちにその重量で少しずり下がったり、何かに触って左右にずれ、見栄えが悪くなることがある。
【０００５】
この考案が解決しようとする問題点は、帯留めが帯の正面の中央付近に常に位置し、帯留めがずり下がったり、左右にずれないような帯留めの取付構造を提供する点である。
【課題を解決するための手段】
【０００６】
本考案は、帯留めが帯の所望位置に常にあるようにするため、帯に取付穴を形成し、帯留めをこの取付穴にねじで取り付けるようにしたことを最も主要な特徴とする。
【０００７】
すなわち、本考案は帯留めの取付構造であり、帯に貫通形成された取付穴部と、帯留めの飾り部の裏側に設けられた第一ねじと、該第一ねじに螺合する第二ねじとからなり、該第一ねじのねじ部と該第二ねじのねじ部は該取付穴部を貫通して螺合し、該第一ねじの基部と該第二ねじの基部は該取付穴部を挟んだ状態になっている。
【０００８】
ここで、前記取付穴部を貫通形成する帯としては二部式帯の帯部が好ましい。また、前記第一ねじが雌ねじで且つ前記第二ねじが雄ねじであってもよいし、前記第一ねじが雄ねじで且つ前記第二ねじが雌ねじであってもよい。また、二部式帯の帯部に設けられた取付穴部は鳩目で縁取り補強されているのが好ましい。また、前記帯留めは帯び紐を備えていてもよいし、備えていなくてもよい。
【考案の効果】
【０００９】
本考案の帯留めの取付構造は、帯留めを帯にねじで取り付けるようにしたので、帯留めが帯に螺子で固定されていて帯留めの重量でずり下がったり、左右にずれることがなく、従って、装着中に帯留めの見栄え位置が悪くなることがないという利点がある。
【００１０】
本考案の帯留めの取付構造は、鳩目で縁取り補強されている場合は、帯に設けた取付穴部の縁が長期の使用でも痛まないという利点がある。
【図面の簡単な説明】
【００１１】
【図１】図１は二部式帯の帯部の説明図である。
【図２】図２は帯留めの一例を正面から示した説明図である。
【図３】図３は本考案に係る帯留めの一例を裏側から示した説明図である。
【図４】図４は本考案に係る帯留めの取付構造の一例（連結前）を断面で示した説明図である。
【図５】図５は本考案に係る帯留めの取付構造の一例（連結後）を断面で示した説明図である。
【図６】図６は本考案に係る帯留めの取付構造の他の例（連結後）を断面で示した説明図である。
【考案を実施するための形態】
【００１２】
帯留めが装着中に動かないように帯に取り付けるという目的を、簡単な構造で、帯留め及び帯の見栄えを損なうことなく実現した。
【実施例１】
【００１３】
図１は二部式帯の帯部の説明図、図２は帯留めの一例を正面から示した説明図、図３は本考案に係る帯留めの一例を裏側から示した説明図、図４は本考案に係る帯留めの取付構造の一例（連結前）を断面で示した説明図、図５は本考案に係る帯留めの取付構造の一例（連結後）を断面で示した説明図、図６は本考案に係る帯留めの取付構造の他の例（連結後）を断面で示した説明図である。
【００１４】
図１において、１０は二部式帯の帯部であり、帯部１０の正面側の中央付近には取付穴部１２が設けられている。取付穴部１２の縁は金属製の鳩目１４によって縁取られて補強されている。取付穴部１２には帯部１０の表側（図１の左上側）から帯留め１６が取り付けられる。
【００１５】
帯留め１６は、図２及び図３に示すように、表側の飾り部１８と、飾り部１８の裏側に飾り部１８と一体的に設けられた第一ねじ２０と、第一ねじ２０に螺合する第二ねじ２２とからなる。ここで、帯留め１６の裏側の両端には帯び紐（図示せず）が取り付けられていてもよい。
【００１６】
帯留め１６の第一ねじ２０のねじ部２０ａと第二ねじ２２のねじ部２２ａは、図４及び図５に示すように、取付穴部１２の鳩目１４を貫通して螺合し、第一ねじ２０の基部２０ｂと第二ねじ２２の基部２２ｂは取付穴部１２の周囲の鳩目１４を挟んだ状態になっている。
【００１７】
ここで、第一ねじ２０のねじ部２０ａ及び第二螺子２２のねじ部２２ａは、図４及び図５に示すように、第一ねじ２０のねじ部２０ａが雌ねじで且つ第二螺子２２のねじ部２２ａが雄ねじであってもよいし、図６に示すように、第一ねじ２０のねじ部２０ａが雄ねじで且つ第二螺子２２のねじ部２２ａが雌ねじであってもよい。
【００１８】
次に、本考案に係る帯留めの取付方法について説明する。
【００１９】
帯部１０の表側から取付穴部１２に帯留め１６を載せるようにして、取付穴部１２に帯留め１６の裏側の第一ねじ２０のねじ部２０ａを貫通させ、帯部１０の裏側から第二ねじ２２のねじ部２２ａをねじ部２０ａに螺合させる。取付穴部１２の周囲、すなわち鳩目１４は第一ねじ２０の基部２０ｂと第二ねじ２２の基部２２ｂとによって挟まれ、図４に示すように、帯留め１６は帯部１０の中央付近に確実に取り付けられる。
【符号の説明】
【００２０】
１０  帯部
１２  取付穴部
１４  鳩目
１６  帯留め
１８  飾り部
２０  第一ねじ
２０ａ  ねじ部
２０ｂ  基部
２２  第二ねじ
２２ａ  ねじ部
２２ｂ  基部
【図１】
0003161130.tif 000003
【図２】
0003161130.tif 000004
【図３】
0003161130.tif 000005
【図４】
0003161130.tif 000006
【図５】
0003161130.tif 000007
【図６】
0003161130.tif 000008